(57)【特許請求の範囲】
【請求項１】
電力供給により回転駆動力を得るモータ部と、前記モータ部で駆動されるポンプ部と、前記モータ部に供給する電力を制御する制御部とが一体的に形成される共に、
前記制御部が、前記モータ部に供給する電力を制御する制御基板と、この制御基板を収容するケースとを備えて構成され、前記ケースのうち外気が触れる領域の内面と対向する位置となる前記制御基板の基板面に温度センサを備え、
前記ケースに、前記温度センサに外気を供給する孔部が形成されている電動ポンプ。
【請求項２】
前記制御部が前記モータ部に隣接する位置に配置され、
前記制御基板に対し前記モータ部に供給する電力を制御する電力制御素子が備えられ、前記制御基板が、前記温度センサと前記電力制御素子との間に伝熱抵抗部を配置している請求項１に記載の電動ポンプ。
【請求項３】
前記伝熱抵抗部が、前記制御基板のうち前記電力制御素子と前記温度センサとの中間位置の一部を取り除いた切欠部で構成されている請求項２に記載の電動ポンプ。
【請求項４】
前記モータ部を構成するモータロータの駆動軸芯に沿う方向で、前記ポンプ部と前記モータ部と前記ケースとが、この順序で配置され、前記制御基板と前記モータ部との間に断熱部が形成されている請求項１〜３のいずれか一項に記載の電動ポンプ。
【発明の詳細な説明】
【技術分野】
【０００１】
本発明は、温度センサで検知される流体の温度に基づいて制御可能な電動ポンプに関する。
【背景技術】
【０００２】
上記のように構成された電動ポンプとして特許文献１には、油温センサで検知される油温が所定温度以上であることを条件として、電動オイルポンプを作動させる技術が示されている。この特許文献１では、エンジンのオイルパンの内部に油温センサを設けることにより、オイルの温度を油温センサで直接的に検知する構成が示されている。
【先行技術文献】
【特許文献】
【０００３】
【特許文献１】特開２０１４‐１８１７８０号公報
【発明の概要】
【発明が解決しようとする課題】
【０００４】
エンジンを備えた車両では、エンジンのオイルパンのオイル（潤滑油）を、オイルポンプにより油圧アクチュエータや、エンジンのメインギャラリ等に供給する構成が多く採用されている。
【０００５】
エンジンのオイルパンに貯留されるオイルは、低温で粘性が高く、この低温状態ではオイルポンプを通常の回転数で駆動しても適正に供給できなこともある。このような理由から特許文献１では、油温センサで検知される油温に対応してオイルポンプの駆動形態を設定している。
【０００６】
ここで、油温センサによる油温の検知形態を考えると、例えば、オイルパンに貯留されているオイルに接触する油温センサを用いる構成では、油温センサの取付や配線に手間が掛かるものであった。また、オイルに接触する油温センサを用いる構成では、オイルパンの油温を正確に検知するもののオイルポンプ内部の油温を検知できなかった。
【０００７】
つまり、エンジンの稼動に伴いオイルの温度が上昇した後でも、オイルポンプが低温である場合には、オイルポンプに供給されたオイルがオイルポンプの内部で低温化し、粘性を高めることもある。このような理由から、オイルポンプ内部の温度の検知が重要とあり、オイルポンプの駆動を開始した後には、ポンプの稼動に伴って発生する熱の影響を排除してオイルポンプ内部の油温を正確に検知することが求められる。
【０００８】
即ち、ポンプ部で送られる流体の温度を検知できる電動ポンプが求められる。
【課題を解決するための手段】
【０００９】
本発明の特徴は、電力供給により回転駆動力を得るモータ部と、前記モータ部で駆動されるポンプ部と、前記モータ部に供給する電力を制御する制御部とが一体的に形成される共に、
前記制御部が、前記モータ部に供給する電力を制御する制御基板と、この制御基板を収容するケースとを備えて構成され、前記ケースのうち外気が触れる領域の内面と対向する位置となる前記制御基板の基板面に温度センサを備え、
前記ケースに、前記温度センサに外気を供給する孔部が形成されている点にある。
【００１０】
外部の温度が殆ど変化しない環境にある場合には、モータ部とポンプ部と制御部のケースと、このケースに収容される制御基板とが環境温度と平衡するため、制御基板の温度は、制御基板を収容するケースの温度と等しくなる。例えば、車両のエンジンにオイルポンプとして本構成の電動ポンプをエンジンに備えた場合には、エンジンが停止し、モータ部とポンプ部と制御部とが環境温度と等しい温度にある状況ではオイルパンのオイルの温度と制御基板の温度とが等しいため、温度センサで検知する温度がオイルパンのオイルの油温と等しい。
従って、ポンプ部に供給される流体の温度を検知するための温度センサとして、流体に接触させる構成を採用することなく、ポンプ部で送られる流体の温度を検知できる電動ポンプが構成された。特に、この構成の電動ポンプをエンジンのオイルを供給するオイルポンプとして構成した場合には、始動時におけるオイルの温度の検知が可能となり、エンジンが始動した後でもポンプ部の温度の検知も可能となる。
また、温度センサに孔部が形成されていると、ケースの外部の外気を、孔部を介して温度センサに接触させ、温度センサの温度を外気温と等しくして温度センサの検知精度を高くする。
【００１１】
本発明は、前記制御部が前記モータ部に隣接する位置に配置され、
前記制御基板に対し前記モータ部に供給する電力を制御する電力制御素子が備えられ、前記制御基板が、前記温度センサと前記電力制御素子との間に伝熱抵抗部を配置しても良い。
【００１２】
これによると、制御基板上での温度センサの配置により、モータ部の駆動時にモータ部の発生に起因する熱の伝導が抑制され、制御基板に備えた電力制御素子で発生する熱が伝熱抵抗部により温度センサに伝導し難くなるため、モータ部を駆動した場合にもポンプ部における流体の温度を温度センサで精度良く検知することが可能となる。
【００１３】
本発明は、前記伝熱抵抗部が、前記制御基板のうち前記電力制御素子と前記温度センサとの中間位置の一部を取り除いた切欠部で構成されても良い。
【００１４】
これによると、モータ部の駆動に伴い電力制御素子で発生する熱が、制御基板を介して温度センサに伝わることになるが、この熱の伝導は切欠部で抑制されるため、温度センサの検知精度を高く維持できる。
【００１５】
本発明は、前記モータ部を構成するモータロータの駆動軸芯に沿う方向で、前記ポンプ部と前記モータ部と前記ケースとが、この順序で配置され、前記制御基板と前記モータ部との間に断熱部が形成されても良い。
【００１６】
これによると、モータ部の駆動時に、モータ部で発生した熱を断熱部が遮断するため、制御基板に伝わる現象を抑制し、温度センサの検知精度を高くする。
【図面の簡単な説明】
【００１９】
【図１】電動ポンプの断面図である。
【図２】制御基板の平面図である。
【図３】電動ポンプの温度変化をグラフ化した図である。
【図４】電動ポンプの複数箇所における温度変化をグラフ化した図である。
【図５】別実施形態のケースの構造を示す断面図である。
【発明を実施するための形態】
【００２０】
以下、本発明の実施形態を図面に基づいて説明する。
〔基本構成〕
図１に示すように、流体の一例としてのオイルを吸引して送り出すポンプ部Ｐと、このポンプ部Ｐを電気的に駆動するモータ部Ｍと、モータ部Ｍを制御する制御部Ｃとを連結により一体化して電動ポンプが構成されている。
【００２１】
この電動ポンプは、ポンプ部Ｐのポンプハウジング４と、モータ部Ｍのモータハウジング１３と、制御部Ｃのケース２２とを、この順序でモータロータ１１の駆動軸芯Ｙに沿う方向に重ね合わせて連結固定した構造を有している。
【００２２】
電動ポンプは、車両のトランスミッション（例えば、ＡＴやＣＶＴ等）用のオイルポンプとしてエンジンに設けられるものを示している。尚、この電動ポンプはオイル以外の流体の供給に使用しても良い。
【００２３】
〔ポンプ部〕
ポンプ部Ｐは、シャフト１と嵌合することでシャフト１と一体回転し、外周に外歯部が形成されたインナロータ２と、このインナロータ２の外周の外歯部に対し、その内周の内歯部が咬合するアウタロータ３とを備えたポンプユニットを有し、このポンプユニットを、アルミニウム合金等の金属製のポンプハウジング４のロータ室に収容して構成されている。
【００２４】
ポンプユニットはトロコイド型であり、インナロータ２は、シャフト１の駆動軸芯Ｙと同軸芯で回転自在に支持され、アウタロータ３は、駆動軸芯Ｙから所定量だけ変位する位置で駆動軸芯Ｙと平行姿勢となる遊転軸芯（図示せず）を中心に回転するように支持されている。尚、ポンプユニットはトロコイド型に限るものではなく、ギヤポンプとして構成されるものや、ベーンを備えた遠心ポンプ型に構成されるものでも良い。
【００２５】
ポンプハウジング４は、メインハウジング４Ａと、プレート状のサブハウジング４Ｂとを駆動軸芯Ｙに沿う方向で重ね合わせてボルト等で連結することにより、インナロータ２とアウタロータ３とを収容するロータ室が形成されている。メインハウジング４Ａには吸引ポート５と吐出ポート６とを備え、駆動軸芯Ｙと同軸芯でモータ部Ｍの方向に突出する膨出部７が一体形成されている。同図には、吐出ポート６からのオイルを送り出す吐出管６Ａが示されている。このポンプハウジング４は、アルミニウム合金のように金属材料で形成されるものであるが、樹脂で形成しても良い。
【００２６】
膨出部７は、駆動軸芯Ｙを中心にする円柱状の外周面を有し、駆動軸芯Ｙと同軸芯上にシャフト１が貫通する貫通孔部が形成されている。この貫通孔部にはシャフト１の外周に接触するオイルシール８を備えている。
【００２７】
〔モータ部〕
モータ部Ｍは、シャフト１に連結する円柱状のモータロータ１１と、このモータロータ１１を取り囲む位置に配置されたステータ１２とをアルミニウム合金等の金属製のモータハウジング１３に収容してセンサレスブラシレスＤＣモータとして構成されている。
【００２８】
モータロータ１１は、シャフト１に連結する円筒状のバックヨーク１１Ａの外周に複数の永久磁石１１Ｂを備えることにより全体的に円柱状に形成されている。ステータ１２は、磁性鋼板を積層したコア１２Ａと、絶縁性樹脂で構成されるインシュレータ１２Ｂと、絶縁被膜が形成された銅線等の導体で成るコイル１２Ｃとを備えて構成されている。
【００２９】
コア１２Ａは、リング状となるヨーク部から駆動軸芯Ｙの方向（内方）に突出する複数のティース部を一体形成した構造を有している。インシュレータ１２Ｂは、ヨーク部から複数のティース部に亘る領域に外嵌するものであり、このインシュレータ１２Ｂのうちティース部に外嵌する部位にコイル１２Ｃが巻回している。
【００３０】
モータハウジング１３のうちポンプ部側の端部には、駆動軸芯Ｙを中心とするシリンダ内面状の嵌合面１４が形成され、この嵌合面１４の内径を、ポンプハウジング４の膨出部７の外形と一致させている。この構成により電動ポンプを組み立てた状態では、嵌合面１４に対して膨出部７が密嵌合する状態で嵌り込むため、ポンプハウジング４とモータハウジング１３との位置関係が決まり、シャフト１の軸芯精度が向上する。このモータハウジング１３は、アルミニウム合金のように金属材料で形成されるものであるが、樹脂で形成しても良い。
【００３１】
〔制御部〕
制御部Ｃは、ポンプハウジング４のうち、ポンプ部Ｐと反対側の面に支持される制御基板２１と、これを覆う位置に配置されるケース２２とを備えて構成されている。
【００３２】
ケース２２は、アルミニウム合金により、制御基板２１を収容するため凹状となる内部空間を内側に形成し、外面には放熱のため複数のフィン２２Ａが突設されている。このケース２２は、連結ボルト２３によりポンプハウジング４に連結されることで制御基板２１が収容される内部空間を密封する。
【００３３】
制御基板２１は、モータハウジング１３に一体形成された支持部１３Ｓに対して固定ボルト２４で固定されている。これにより、制御基板２１とモータハウジング１３との間に隙間状の空間が形成され、この空間に断熱部としての断熱材２８が配置されている。
【００３４】
制御基板２１は、絶縁性の板材に対してプリント配線の技術により金属箔で成る配線を形成した一般的な構成を有しており、基板面にはモータ部Ｍのコイル１２Ｃに供給する電力を制御するためＦＥＴ等で成る電力制御回路と、コイル１２Ｃに発生する逆起電力に基づいてロータの回転角を検知する検知回路と、検知回路の検知結果に基づいて電力制御素子２６を所定の周期で制御する回転制御回路とが備えられている。
【００３５】
図２に示すように、制御基板２１は、基板面に直交する方向視で一方の端部側に電力制御回路を構成するＦＥＴ等の複数の電力制御素子２６を備え、これより中央位置には検知回路や回転制御回路を構成するＣＰＵ（Central Processing Unit）、ＤＳＰ（Digital Signal Processor）、ＡＳＩＣ（Application Specific Integrated Circuit）、ロジック等の制御ユニット２７を備えている。
【００３６】
また、制御基板２１において他方の端部側には、サーミスタで成る温度センサＴＳを備えており、この制御基板２１において電力制御素子２６と温度センサＴＳとの中間位置には、制御基板２１の側縁の一部を取り除いた切欠部２１Ａが形成されている。
【００３７】
この制御基板２１では、電力制御素子２６から温度センサＴＳに伝えられる熱を低減するための伝熱抵抗部の構成として、電力制御素子２６と温度センサＴＳとを大きく離間させる構成が採用されている。また、前述した切欠部２１Ａも伝熱抵抗部として電力制御素子２６と温度センサＴＳと間での熱伝導を抑制する。
【００３８】
これにより、電力制御素子２６で発生する熱の伝導が制御基板２１の伝熱抵抗部に抑制されると共に、モータ部Ｍのコイル１２Ｃで発生した熱が断熱材２８によって遮断される結果、モータ部Ｍに電力が供給される場合でも温度センサＴＳにおける熱の影響を小さくして検知温度の精度を向上する。
【００３９】
尚、断熱材２８は、ウレタンフォームのように発泡系の樹脂材料を想定しているが、グラスウールや、コルク等を用いることができる。
【００４０】
制御基板２１は、エンジンの稼動を管理するＥＣＵ（Engine Control Unit）等のエンジン制御部からの制御信号に基づいてモータ部Ｍを制御するように構成されている。特に、この制御基板２１では、温度センサＴＳの検知結果をエンジン制御部に出力するようにも構成されている。
【００４１】
従って、制御基板２１では、エンジン制御部からの制御信号に対応してモータ部Ｍのコイル１２Ｃに供給する電力を制御することでモータロータ１１とシャフト１とを目標とする回転速度で回転駆動し、インナロータ２とアウタロータ３を回転させ吸引ポート５からオイルを吸引し、吐出ポート６からオイルを吐出する作動を実現する。
【００４２】
〔実施形態の作用・効果〕
特許文献１（特開２０１４‐１８１７８０号公報）にも記載されるように、車両のエンジンのオイルパンのオイルを送るオイルポンプでは、エンジンの始動時にオイルの温度が設定値未満である場合には、オイルの温度に対応した形態でオイルポンプを制御している。その理由は、低温であるほど、オイルの粘性が高まる現象に対応するためであり、粘性に対応して回転速度を低減する等、最適なモータ部Ｍの制御形態が設定される。
【００４３】
オイルの温度を検知するために、例えば、オイルパンの内部のようにオイルに接触する位置に温度センサＴＳを配置するものでは、オイルの温度を適正に検知できるものの、温度センサＴＳの取付けや配線に手間が掛かるものである。しかも、このようにオイルパンの内部に温度センサＴＳを配置したものでは、モータ部Ｍが作動を開始した後のポンプ部Ｐの内部の温度を正確に検知できないものである。このような課題を解決するため、前述のように制御基板２１に温度センサＴＳを備えている。
【００４４】
つまり、本実施形態のように制御基板２１においてケース２２の内面に温度センサＴＳを備えたものでは、ケース２２の温度が外気温と等しい状態に達した場合にはケース２２の内面と温度センサＴＳとの間での相互の熱の輻射、あるいは、ケース２２の内部の空気の対流現象によって温度センサＴＳの温度を外気温と一致させることが可能となる。その結果、エンジンが停止し、電動ポンプが環境温度と等しい温度にある状況ではトランスミッションのオイルの温度と温度センサＴＳの温度とが等しくなり、この温度センサＴＳによってトランスミッションのオイルの油温を検知できることになる。
【００４５】
これにより、エンジンの始動時には、エンジン制御部が制御基板２１に備えた温度センサＴＳで検知される温度をオイル温度とみなして適正な制御を行える。具体的には、温度センサＴＳで検知される温度が設定値未満である場合には、検知された温度に対応してモータ部Ｍを駆動する制御を行うことが可能となり、温度センサＴＳをオイルに接触する位置に配置する必要もない。
【００４６】
次に、エンジンの始動に伴いエンジン制御部が、モータ部Ｍの駆動を開始した後であっても、オイルの粘性が高い場合には、前述したようにモータ部Ｍの回転速度を低減する等の制御形態でモータ部Ｍが継続的に駆動される。特に、オイルがエンジンの熱により設定値を超えて上昇した場合でも、ポンプ部Ｐの温度が低温である場合には、ポンプ部Ｐでオイルが冷却され粘性が上昇するため、モータ部Ｍを継続的に駆動するための制御情報として温度センサＴＳによりポンプ部Ｐの正確な温度を検知する必要性がある。
【００４７】
実施形態の電動ポンプでは、ポンプ部Ｐとモータ部Ｍと制御部Ｃとが熱伝導により互いに等しい温度に維持されるため、温度センサＴＳで検知される温度は、ポンプ部Ｐの温度も示している。また、制御基板２１とモータハウジング１３との間に断熱材２８を備え、制御基板２１には伝熱抵抗部形成している。これにより、モータ部Ｍの駆動を開始した場合でも、この駆動に伴って発生する熱の影響を抑制して温度センサＴＳでポンプ部Ｐの温度を正確に検知し、ポンプ部Ｐにおけるオイルの粘性に対応した制御を可能にする。
【００４８】
図３には、電動ポンプ全体の温度が７０℃にある状況においてモータ部Ｍを駆動し、この後にエンジンを停止した状態での電動ポンプの温度変化の計測結果を示している。この計測は電動ポンプの各部にセンサを備えて行ったものであるが、複数のセンサで計測される温度変化の傾向が略決まっているため単一のグラフとして示している。
【００４９】
同図の横軸の「０」のタイミングでモータ部Ｍの駆動を開始した場合には、電動ポンプの全体の温度が僅かに上昇する。この後にＴｓのタイミングでエンジンと共にモータ部Ｍを停止した場合には、放熱により電動ポンプ全体の温度が低下しＴｘのタイミングで環境温度と平衡し、環境温度と等しくなる。同図では環境温度を−１℃としており、ＴｓのタイミングからＴｘのタイミングまでの経過時間Ｔはおよそ６０分である。
【００５０】
また、図４には、Ｔｘのタイミングでの温度センサＴＳの位置の制御基板２１の温度をＴａとして示し、ケース２２の周囲の温度をＴｂとして示し、吸引ポート５の温度をＴｃとして示している。このようにエンジンを停止した場合には、Ｔａ，Ｔｂ，Ｔｃの各位置の温度は僅かに異なる傾向で下降するものの、モータ部Ｍの停止から６０分程度経過したタイミングＴＸで制御基板２１と、ケース２２の周囲と吸引ポート５との温度は、略等しく環境温度まで低下することが理解できる。
【００５１】
このことは、エンジンを停止した後に、エンジンを始動する場合には、先の停止から６０分以上経過している場合には、制御基板２１に備えた温度センサＴＳの検知結果をオイルの温度と見なしても良いことになり、制御が簡素化する。
【００５２】
〔別実施形態〕
本発明は、上記した実施形態以外に以下のように構成しても良い（実施形態と同じ機能を有するものには、前記実施形態と共通の番号、符号を付している）。
【００５３】
（ａ）実施形態では、制御基板２１とモータハウジング１３との間に断熱材２８を配置していたが、制御基板２１とモータハウジング１３との間の空間に断熱部材等を備えず、この空間の空気層を断熱部としても良い。このように構成することにより、単純な構成でありながらモータハウジング１３から温度センサＴＳに作用する熱を抑制することが可能となる。
【００５４】
（ｂ）図５に示すように、制御部Ｃのケース２２のうち、温度センサＴＳの近傍に孔部２２Ｂを形成し、外気を温度センサＴＳに供給できるように構成する。この別実施形態では、孔部２２Ｂを介してケース２２の内部に水滴や塵埃の侵入を抑制するために、湿気や塵埃を遮断しつつ通気性を有する樹脂材３０を孔部２２Ｂの外部を覆う位置に備えている。この構成から、ケース２２の外部の空気を温度センサＴＳに接触させ、温度センサＴＳで環境の温度を正確に計測することが可能となる。
【００５５】
（ｃ）実施形態では、凹状の内部空間が形成されたケース２２を用いていたが、これに代えて、例えば、内部に制御基板２１収容されるようにケース２２を密封構造とし、これをポンプハウジング４に連結して制御部Ｃを構成しても良い。このように構成したものであっても、制御基板２１に備えた温度センサＴＳに基づいてポンプ部Ｐの流体の温度を検知することが可能となる。
【００５６】
（ｄ）電動ポンプを、単一のハウジングにモータ部Ｍのモータロータ１１を収容し、かつ、ポンプ部Ｐのインナロータ２とアウタロータ３とを収容するように構成しても良い。このように構成することにより、ポンプ部Ｐとモータ部Ｍとの間での熱伝導を良好に行わせることが可能となる。
【産業上の利用可能性】
【００５７】
本発明は、温度センサで検知される流体の温度に基づいて制御可能な電動ポンプに利用することができる。
【符号の説明】
【００５８】
１１        モータロータ
２１        制御基板
２１Ａ      伝熱抵抗部：切欠部
２２        ケース
２２Ｂ      孔部
２６        電力制御素子
２８        断熱部（断熱材）
Ｃ          制御部
Ｍ          モータ部
Ｐ          ポンプ部
Ｙ          駆動軸芯
ＴＳ        温度センサ
【図１】
0006502811.tif 000002
【図２】
0006502811.tif 000003
【図３】
0006502811.tif 000004
【図４】
0006502811.tif 000005
【図５】
0006502811.tif 000006